(57)【要約】【課題】  本発明は、自動車底面に対して散水口からの水流を垂直や斜め角度から部品に当てて洗浄でき、ジャッキアップしなくても効果的に洗浄できるガード付散水ノズルと汎用ガードを提供する。【解決手段】  散水部本体にこれを支えるガードを付け、前記ガードの主面を平とし、地面等に接地した時、地面に対して散水口を垂直に保持できる形状とした。また、前記ガードの側面を前記主面に１２０度〜１７０度で取り付ける事により、前記側面を地面等に接地させると、地面に対して散水口を斜め角度に保持できる形状にした。さらに、地面がアスファルトや砂利、土等でもスムーズに移動することが出来るようにし、小石や段差があってもそれを乗り越えられるようにした。また、管に目盛を付け目視出来ない場所でも散水口までの距離が解り、効果的に散水することが出来るようになった。【選択図】  図１
2015009716.tif 000002
【特許請求の範囲】
【請求項１】
管の一端に散水部本体が付き、多端にホース接続具を備えた持ち手が付き、散水部本体に取り付けられた散水切替ダイヤルまたは散水口を操作することにより、散水口から少なくとも１種類の散水形状を選べることができる散水ノズルにおいて、
主面を平らにし主面の両側に１２０度〜１７０度の角度で取り付けられた側面を設け、主面を地面に設置して使用することで、地面に対して散水角度を垂直に保つことができ、側面を接地させることで地面に対して斜め角度を保持したまま散水ができるように、前記散水部本体にネジ止めあるいはレールにより固定されるガードを備えた散水ノズル。
【請求項２】
前記ガードの主面の側面と接していない辺を、前記側面と同じ向きに１２０度〜１７０度の角度で傾斜させ、また、前記ガードの側面の主面と接していない３辺を、散水部本体の方向に１２０度〜１７０度の角度で傾斜させ、主面または側面を接地させ地面を滑らせた際に、小石や段差を乗り越えることができる請求項１に記載の散水ノズル。
【請求項３】
管に散水部本体に接している一端から持ち手に向けて等間隔で目盛を付け、散水口が目視できない場合でも、散水口までの距離が判別できるようにし、洗い残しが無いようにできる請求項１又は２に記載の散水ノズル。
【請求項４】
管の一端に散水部本体が付き、多端にホース接続具を備えた持ち手が付き、散水部本体に取り付けられた散水切替ダイヤルまたは散水口を操作することにより、散水口から少なくとも１種類の散水形状を選べることができる散水ノズルにおいて、前記ガードの主面の上部に散水ノズル取付け具を取り付け、前記散水ノズルの管や散水部を挟み込み固定し脱着自在にできる汎用ガードであって、
前記汎用ガードは、主面を平らにし主面の両側に１２０度〜１７０度の角度で取り付けられた側面を設け、前記汎用ガードの取付部を前記散水ノズルの管や散水部本体に固定させた状態で、前記汎用ガードの主面を地面に設置して使用することで、地面に対して散水角度を垂直に保つことができ、側面を接地させることで地面に対して斜め角度を保持したまま散水ができ、また、前記汎用ガードの主面または側面を接地させ地面を滑らせた際に、小石や段差を乗り越えることができるようになる汎用ガード。
【発明の詳細な説明】
【技術分野】
【０００１】
本発明は主に家庭での自動車の底部等を洗浄する散水ノズルに関する。
【背景技術】
【０００２】
従来から、家庭で自動車の底部等を洗浄するには、ホース先端に取り付けられて任意に散水と止水とを行えるようにした散水ノズル（非特許文献１）や高圧洗浄機（非特許文献３）が広く使用されている。  このような散水ノズルや高圧洗浄機は、本体に接続したホース等から水の供給を受け、先端部に設けた散水口から散水を行う。
【０００３】
多雪地域や道路凍結のある地域では、道路の雪を溶かしたり、凍結を防止するために凍結防止剤が散布される。また、海岸付近の道路では風や波しぶきにより塩分が道路に飛散する。このような道路を自動車で走行すると巻き上げられたそれらの成分が自動車の底部に付き、錆や腐食の原因となるため洗浄をする必要がある。
【０００４】
それらの成分は、主に塩化カルシウム、塩化マグネシウム、塩化ナトリウムで、水温０度〜１０度時の溶解度は塩化カルシウムが５９．５、塩化マグネシウムが５２．９、塩化ナトリウムが３５．６５で、水に解ける性質であるため、水洗浄で洗い落とす事が出来る。
【０００５】
また、ハンドルから角度の付いたノズルの先端に散水口があり、自動車の車体下の地面に散水口の底面や下部を這わして、自動車の底部を洗浄する物もある。（例えば特許文献１、２、３、４、５参照）
【０００６】
自動車を洗浄する場所は、通常は水平面に自動車を停めて行う為、地面と自動車の底面は水平となる。
【先行技術文献】
【特許文献】
【０００７】
【特許文献１】米国公開番号２００５／２０５１１６
【特許文献２】米国公開番号２００８／６７２７
【特許文献３】米国公開番号２００８／２９１３６
【特許文献４】米国特許番号６，０７９，６４０
【特許文献５】米国特許番号 ６，１３１，８３１
【特許文献６】特開２００５-２８９２２４号公報
【非特許文献】
【０００８】
【非特許文献１】「株式会社タカギ  ＨＩ商品総合カタログ」  株式会社タカギ  ２０１３年２月  Ｐ、１０
【非特許文献２】「藤原産業株式会社  ガーデニングカタログ」  藤原産業株式会社  ２０１０年９月  Ｐ、２１７
【非特許文献３】「リョービ販売株式会社  リョービ電動工具総合カタログ  詳細版２０１２−１１」リョービ販売株式会社  ２０１２年１１月  Ｐ、８３  Ｐ、８４
【発明の概要】
【発明が解決しようとする課題】
【０００９】
自動車の底部は部品が多く、また形状は複雑で、部品の下部に部品保護のためのカバーが付いている箇所や、鋼板を四角柱にした内部が空洞で所どころ穴が下部に開いている部品も多く、これらの部品を洗浄するには、自動車底面に対して散水口からの水流を垂直や斜め角度から部品に当てないと洗浄できない。
さらに、自動車底面に対して散水口からの水流の角度を保持し続け、水平移動させる洗浄方法が効率的な部分もある。
【００１０】
従来の散水ノズルでは、自動車の底部等の手が届かない場所を洗浄する場合には、それらを洗浄できるようにジャッキアップする必要があった。
しかし、ジャッキアップしたそれらの底部を洗浄するには、バランスを崩し下敷きになる危険が伴い、しかも家庭で日常的に出来る作業ではない。
【００１１】
ジャッキアップをしないで自動車の底部を洗浄する場合、非特許文献１では、地面から車体底面の隙間から散水ノズルを入れ洗浄する事になり、その場合、水流が洗浄箇所に当たる角度と届く範囲に制限があり、自動車底部全体を洗浄する事は出来なかった。
しかも、洗浄するには洗浄箇所を常に目視し続ける必要があるため、洗浄が終わるまで顔を地面に近づけなければならなく、体への負担がかかっていた。
【００１２】
従来の散水ノズルには、持ち手から散水口先端までの長さが長い散水ロングノズル（非特許文献２）があるが、ジャッキアップをしないで自動車の底部を洗浄する場合、前記非特許文献２では、自動車の底部全体を洗浄するには長さが足りなかったり、上記（イ）の為、自動車底面に対して散水口からの水流を垂直や斜め角度に保持し続ける事が難しく、また、自動車底面に対して散水口からの水流の角度を保持したまま水平移動するのが難しい。
【００１３】
特許文献１、２、３、４、５は、ノズル先端から持手にかけてS字形状となっており、立った姿勢で洗浄出来るが、洗浄部の目視がしにくい、あるいは出来ないため、正確な洗浄が出来ない。
【００１４】
特許文献１は、散水口を横移動する際、車輪を使用している。このため、自動車を置いた地面が砂や砂利の場合、横移動が難しい。
【００１５】
特許文献１、４は、ノズルからの水流の形状と、拡散範囲を絞れないため、当てなくても良い場所まで水流をあててしまい水の無駄になる。しかも、水量と圧力が分散される事で洗浄箇所を効率よく洗浄する事が出来ない。
【００１６】
散水口を支える底面あるいは下部が、特許文献１は４隅に車輪がついている、特許文献２は球状になっている。  特許文献３は菱型になっている。  特許文献４は筒状になっている、  特許文献５は底部が平面でそこから側面にかけてカーブしている。その為、これらの文献は、自動車を駐車した地面に対して散水口を垂直と斜め角度の両方を保持する事が難しく、また、斜め角度を保持したまま水平移動できる形状では無い。
【００１７】
高圧洗浄機（非特許文献３）では、散水時に散水口からの水圧の反動があり両手でしっかりと散水ハンドル部を持たなくてはいけないので、ジャッキアップしない場合での自動車の底部の洗浄は難しい。また、女性や非力な人ではさらに難しい。
また、自動車の底部全体を洗浄するには長さが足りなかったり、上記（イ）の為、自動車底面に対して散水口からの水流を垂直や斜め角度に保持し続ける事が難しく、また、自動車底面に対して散水口からの水流の角度を保持したまま水平移動するのが難しい。
【００１８】
特許文献６では洗浄する場所を変える場合、自動車を動かさなければならない。
また、どの部分を洗浄しているか、きちんと洗浄対象箇所に流水がきちんと当たっているかを把握するには、自動車から降りて目視する必要がある。
【課題を解決するための手段】
【００１９】
管の一端に散水部本体を付け、多端にホース接続具と操作レバーを備えた持ち手を付け、散水部本体に取り付けられた散水切替ダイヤルまたは散水口を操作する事により、散水口から少なくとも１種類の散水形状を選べる事ができる散水ノズルにおいて、図１に示すとおり、散水部本体（５）にこれを支えるガード（６）を付け、図３に示すとおり前記ガード（６）の主面（３a）を平とし、地面等に接地した時、地面に対して散水口を垂直に保持できる形状とした。また、前記ガード（６）の側面（３b）を前記主面（３a）に１２０度〜１７０度で取り付ける事により、前記側面（３b）を地面等に接地させると、地面に対して散水口を斜め角度に保持できる形状にした。
【００２０】
散水切替ダイヤル（７）を操作する事で、散水口から異なった形の水流を発生させる事ができ、なおかつ、拡散角度を微調整できる機構のノズル（5b1 ）を付けた。
この事により、前記ガード（６）の主面や側面を地面に接地しただけではカバー出来ない流水角度をカバー出来るようになった。
【００２１】
前記ガード（６）の主面（３a）の側面（３b）と接していない辺を、前記側面と同じ向きに１２０度〜１７０度の角度で傾斜させ、また、前記側面（３ｂ）の前記主面（３a）と接していない３辺を、散水部本体（５）の方向に１２０度〜１７０度の角度で傾斜させる事で、前記主面または前記側面を接地させ地面を滑らせた際に、地面がアスファルトや砂利、土等でもスムーズに移動することが出来るようにし、小石や段差があってもそれを乗り越えられるようにした。
【００２２】
図１に示すとおり、散水口までの距離が解るように、管（４）に散水部本体（５）に接している一端から持ち手（１）に向けて等間隔で目盛（１０）を付けた。この事により散水口を目視出来ない場合でも散水口までの距離が解り、効果的に散水することが出来るようになった。
【００２３】
図８に示すとおり、前記ガード（６）に散水ノズル取り付け具（８ｃ）を付けた汎用ガード（９）を、 非特許文献２のような散水ロングノズルの管や散水部に取り付ける事により、前記汎用ガード（９）の主面（８a）または側面（８b）を地面等に接地した時、地面に対して散水口を垂直または斜め角度に保持できるようになった。また、前記主面（８a）または前記側面（８b）を地面等に接地させ地面を滑らせた際に、地面がアスファルトや砂利、土等でもスムーズに移動することが出来るようにし、小石や段差があってもそれを乗り越えられるようにした。
【発明の効果】
【００２４】
本発明を使用することにより、自動車の底部等の手が届かない場所を洗浄する場合、自動車を駐車してある地面に対して垂直や斜め角度を保持したまま水流を洗浄対象物に簡単に当てる事が出来るため、ジャッキアップする事無く自動車底部全体を効率良く洗浄できるようになった。
【００２５】
本発明を使用することにより、地面がアスファルトや砂利、土等でも散水ノズルをスムーズに移動することが出来るようになり、小石や段差があってもそれを乗り越えられるようになった。
【００２６】
本発明を使用することにより、洗浄部または散水ノズル先端が目視出来ない場合でも、管に付けた目盛を目視できる静止物に合わす事により、散水口の位置を把握できるので、目視出来ない洗浄部を洗浄する事ができるようになった。
【００２７】
本発明を使用することにより、自動車以外にも流通パレットの内部の洗浄や、手の届かない場所や目視する事が困難な場所に、座面から垂直および斜め角度で散水出来るようになり、洗浄効果が期待できる。
【図面の簡単な説明】
【００２８】
【図１】本発明の斜視図
【図２】ガード（６）の側面図
【図３】ガード（６）の正面図
【図４】本体５と散水切替ダイヤル７の上面図
【図５】本体５と散水切替ダイヤル７の断面図
【図６】散水口（４b1）の断面図
【図７】管接続部（４d）に管（４）を管接続コネクター（８）で接続した断面図
【図８】汎用ガードの斜視図
【図９】本発明の使用状態を示す図
【発明を実施するための最良の形態】
【００２９】
図１に示すように、本発明は筒体に形成された持ち手（１）と、ホースをこの持ち手（１）に接続するホース接続具（２）と水量を調整する為の操作レバー（３）が付いており、散水部本体（５）へは管（４）によって接続されている。散水部本体（５）に散水切替ダイヤル（７）が付いており、これを回転する事により、散水口（４b）を切り替えて散水形状を変える事が出来るようになっている。散水部本体（５）の下部から側面にかけてガード（６）が付いている。
【００３０】
前記ガード（６）の形状は図３に示すように、主面（３a）が平らで、側面（３b）を前記主面（３a）から１２０度〜１７０度で取り付けてある。前記ガード（６）はアスファルトや砂利や土等の上に前記主面（３a）あるいは前記側面（３b）を接地し角度を保持したまま地面を滑らせる事が出来るようにした。さらに、前記主面（３a）の前記側面（３b）と接していない辺を、前記側面（３b）と同じ向きに１２０度〜１７０度の角度で傾斜させ、また、前記側面（３b）の前記主面（３a）と接していない３辺を、散水部本体の方向に１２０度〜１７０度の角度で傾斜させ、前記主面（３a）または前記側面（３b）を接地させ地面を滑らせた際に、小石や段差があってもそれを乗り越えられるようにした。
【００３１】
持ち手（１）は内部に管が通っており、ホース接続部（２）から入ってきた水を、操作レバー（３）からなる水量調整装置により、水量を調整された水を管（４）へと送ることが出来る。しかも操作レバー（３）を操作する事で管（４）へと流れる水を止める事も出来る。さらに、図１に示すように、操作レバー（３）を流水状態で固定する操作レバー止め具（１a）が付いている。
【００３２】
図４に示すように、散水切替ダイヤル（７）は円筒状で上面には円筒の中心から一定の寸法で散水口（４b）と（４b１）が円状に並んでいる。この前記散水口（４b）と（４b１）には形状や太さの違う管が垂直に通っており、散水切替ダイヤル（７）を回し散水部本体（５）に付いている印（４ｃ）に散水切替ダイヤル（７）のそれぞれの散水口（４b）や（４b１）を合わす事で、図５に示すように、本体（５）の管（５b）と散水切替ダイヤル（７）の管（５c）の位置が合い、選択した散水口（４b）や（４b１）へ水が流れ、散水形状を変える事が出来る。
【００３３】
図５に示すように、本体（５）には、管接続部（4d）と散水切替ダイヤル（７）の管（５c）をつなぐ管（５b）が通っており、前記管（５c）との接触部にはオーリング（５a）を挟み水漏れを防止している。
【００３４】
図４に示すように、散水切替ダイヤル（７）の外周には散水を切替する際に、手が滑らないよう突部（４a）を付けている。
【００３５】
散水口（４b）の形状はそれぞれ違い、散水形状がシャワー、直流、勢いのある直流、拡散等になるように管を空けてある。
【００３６】
前記散水切替ダイヤル（７）の散水口には散水角度を微調整できる散水口（４b1）があり、図６に示すように（６c）には管（６d）が通っており、円筒状の（６b）は（６c）との接点をネジとし、前記（６b）を回す事で拡散板（６a）と前記（６b）との隙間を調節する事が可能で、前記管（６d）を通った水が、前記拡散板（６a）に当たり、前記（６b）と前記拡散板（６a）の隙間の間隔を調整する事により散水角度の細かい設定が出来る。
【００３７】
図１に示すとおり、筒（４）には、散水部本体（５）からの距離が解るように、前記散水部本体（５）に接している一端から持ち手（１）に向けて等間隔で目盛（１０）が付いている。
【００３８】
前記管（４）には図７にしめすように、溝（７b）があり、そこにオーリング（７a）を取付け、管接続コネクター（８）を持ち手（１）と散水部本体（５）の管接続部（４d）に取り付ける事で固定でき、しかも水漏れも防ぐ事ができる。
【００３９】
操作レバー（３）は手を離すとスプリングにより戻り、止水状態になる。
【００４０】
持ち手（１）と管（４）と散水部本体（５）とガード（６）はそれぞれ簡単に着脱が出来るようになっている。このため、破損時の交換や、長さや形状の違う管や形状の違うガードへの交換が出来るようになっている。
【００４１】
図８にしめすように、汎用ガード（９）は、上記ガード（６）の主面上部に散水ノズル取り付け具（８c）を取り付け、
非特許文献２のような散水ロングノズルの管や散水部に前記散水ノズル取り付け具（８c）で前記汎用ガード（９）を取り付ける事ができるようになっている。
【００４２】
前記散水ノズル取り付け具（９）は、散水ノズルの管や散水部を挟み込み固定できる形状になっている。
【産業上の利用可能性】
【００４３】
本発明を使用する場合は、ガード（６）及び散水ノズルに取付けた汎用ガード（１０）の主面を地面に接地させた状態で散水を行う事で、散水を地面に対して垂直に保持ができる。また、側面を地面に接地させる事で、散水を地面に対して斜め角度に保持する事ができる。さらに、主面及び側面を地面に接地させた状態で水平方向に滑らせ移動する事ができる。
【符号の説明】
【００４４】
１    持ち手
２    ホース接続具
３    操作レバー
４    管
５    散水部本体
６    ガード
７    散水切替ダイヤル
８    管接続コネクター
９    汎用ガード
１０    目盛
１a    操作レバー止め具
３a    主面
３b    側面
４a    突部
４b    散水口
４b１    散水口
４c    印
４d    管接続部
５a    オーリング
５b    管
５c    管
６a    拡散板
６d    管
７a     オーリング
７b    溝
８a    主面
８b    側面
８c    散水ノズル取り付け具
９a    地面
９b    自動車
【図１】
2015009716.tif 000003
【図２】
2015009716.tif 000004
【図３】
2015009716.tif 000005
【図４】
2015009716.tif 000006
【図５】
2015009716.tif 000007
【図６】
2015009716.tif 000008
【図７】
2015009716.tif 000009
【図８】
2015009716.tif 000010
【図９】
2015009716.tif 000011